(57)【要約】      （修正有）【課題】インクジェットプリンタの保守装置を提供する。【解決手段】インクジェットプリンタの保守装置は、プリンタケーシング上に固定されるケーシングラチェット歯と、プリンタケーシング上に上下滑動可能に設置され、外周には円筒形の回転筒部３２０を有し、回転筒部３２０の下端には下方に突出し、ケーシングラチェット歯と組合わされるストッパラチェット歯３３０が設けられ、回転筒部３２０の上端には上方に突出した複数の動力ラチェット歯３４０が設けられ、動力ラチェット歯３４０とストッパラチェット歯３３０との傾斜方向が一致する円形の廃インク吸収体３００と、プリンタケーシング２０上に滑動可能に設置される移動台２１０と、移動台２１０上に上下滑動可能に設置され、下端が動力ラチェット歯３４０と組合わされる駆動装置４００と、を備える。【選択図】図５
0003140383.tif 000002
【実用新案登録請求の範囲】
【請求項１】
プリンタケーシング上に設置され、
前記プリンタケーシング上に固定されるケーシングラチェット歯と、
前記プリンタケーシング上に上下滑動可能に設置され、外周には円筒形の回転筒部を有し、前記回転筒部の下端には下方に突出して前記ケーシングラチェット歯と組合わされるストッパラチェット歯が設けられ、前記回転筒部の上端には上方に突出した複数の動力ラチェット歯が設けられ、前記動力ラチェット歯とストッパラチェット歯との傾斜方向が一致する円形の廃インク吸収体と、
前記プリンタケーシング上に滑動可能に設置される移動台と、
前記移動台上に上下滑動可能に設置され、下端が前記動力ラチェット歯と組合わされる駆動装置と、を備えることを特徴とするインクジェットプリンタの保守装置。
【請求項２】
前記プリンタケーシング上には突出した枢軸が設けられ、前記廃インク吸収体上には前記枢軸が設置される枢軸孔が設けられることを特徴とする請求項１記載のインクジェットプリンタの保守装置。
【請求項３】
前記廃インク吸収体は基板を有し、前記基板中部には垂直に延伸した枢軸台が設けられ、前記枢軸孔は前記基板および前記枢軸台上に設けられることを特徴とする請求項２記載のインクジェットプリンタの保守装置。
【請求項４】
前記プリンタケーシング上にはフレームが固定され、前記移動台は前記フレーム上に移動可能に設置されることを特徴とする請求項１記載のインクジェットプリンタの保守装置。
【請求項５】
前記移動台上には駆動装置孔が設けられ、前記駆動装置は前記駆動装置孔内に滑動可能に設けられることを特徴とする請求項１記載のインクジェットプリンタの保守装置。
【請求項６】
前記駆動装置の下部は矩形の押部を有し、前記駆動装置上部は円柱状の柱部を有し、前記柱部の上端には上方に突出した二つの相対する弾体部が設けられ、前記二つの弾体部間には凹溝が形成され、前記弾体部の上部には外側方向に突出したストッパ部が設けられ、前記弾体部は前記駆動装置孔内に位置し、前記ストッパ部は前記弾体部上面に位置し、前記移動台の駆動装置孔内には凹溝まで突出した回転防止凸部が設けられることを特徴とする請求項５記載のインクジェットプリンタの保守装置。
【請求項７】
前記ケーシングラチェット歯は、直立平面状のストッパ面を有し、前記ストッパラチェット歯は前記ストッパ面と組合わされる直立平面状のストッパ面を有することを特徴とする請求項１記載のインクジェットプリンタの保守装置。
【請求項８】
前記押部は直立平面状の押面を有し、前記動力ラチェット歯は前記押面と組合させる直立平面状の押動面を有することを特徴とする請求項１記載のインクジェットプリンタの保守装置。
【考案の詳細な説明】
【技術分野】
【０００１】
本考案はインクジェットプリンタに関し、特にインクジェットプリンタの保守装置に関する。
【背景技術】
【０００２】
インクジェットプリンタの記録ヘッドは、印刷前に予熱してインクを予備吐出させ、印刷終了後に記録ヘッドに残留したインクを除去し、記録ヘッド内のインクが乾燥しないように記録ヘッドに蓋をする必要があるので、プリンタには通常保守装置が設置されて予備吐出されたインクを吸収し、記録ヘッド上に残留したインクを除去する。
【０００３】
図１、２、３に示すように、インクジェットプリンタの保守装置は、廃インク吸収体３００’を備え、記録ヘッドを予熱して予備吐出されたインクを吸収する。図中に示すプリンタの保守装置の廃インク吸収体３００’は回転軸３３０’上に枢接され、廃インク吸収体３００’と回転軸３３０’との間には一定の隙間が設けられる。廃インク吸収体３００’の外周上は外側に突出した複数のラチェット歯３４０’を有する。駆動装置４００’が廃インク吸収体３００’を回動させて廃インク吸収体３００’は予備吐出されたインクを均一に吸収する。ストッパ４３０’が廃インク吸収体３００’のラチェット歯３４０’に接触し、廃インク吸収体３００’が逆回転するのを防止する。
【０００４】
駆動装置４００’が図２の矢印に示す方向に移動するとき、廃インク吸収体３００’と回転軸３３０’との間に隙間があるので、廃インク吸収体３００’は図に示す略左上方向に移動し、廃インク吸収体３００’のラチェット歯３４０’はストッパ４３０’から脱落し、駆動装置４００’が廃インク吸収体３００’を回動させる。駆動装置４００’が図３の矢印に示す方向に復位するとき、廃インク吸収体３００’と回転軸３３０’との間には隙間が存在するので、廃インク吸収体３００’は図に示す略右下方向に移動し、廃インク吸収体３００’のラチェット歯３４０’とストッパ４３０’とが接触するので、駆動装置４００’は廃インク吸収体３００’を回動させることができない。
【０００５】
しかし、本構造においては廃インク吸収体３００’の位置が不確定で、駆動装置４００’の位置も変化するので、廃インク吸収体３００’の移動軌跡が不確定であり、それによって駆動装置４００’が廃インク吸収体３００’を回動できなくなったり、廃インク吸収体３００’を逆回動させたりする問題が発生する。
【特許文献１】特開平６−１４３５９９号公報
【考案の開示】
【考案が解決しようとする課題】
【０００６】
本考案の目的は、従来技術における駆動装置が廃インク吸収体を回動できなくなったり、廃インク吸収体を逆回動させたりする問題の発生を防止するインクジェットプリンタの保守装置を提供することにある。
【課題を解決するための手段】
【０００７】
上述の課題を解決するために、本考案のインクジェットプリンタの保守装置は、プリンタケーシング上に設置され、プリンタケーシング上に固定されるケーシングラチェット歯と、プリンタケーシング上に上下滑動可能に設置され、外周には円筒形の回転筒部を有し、回転筒部の下端には下方に突出し、ケーシングラチェット歯と組合わされるストッパラチェット歯が設けられ、回転筒部の上端には上方に突出した複数の動力ラチェット歯が設けられ、動力ラチェット歯とストッパラチェット歯との傾斜方向が一致する円形の廃インク吸収体と、プリンタケーシング上に滑動可能に設置される移動台と、移動台上に上下滑動可能に設置され、下端が動力ラチェット歯と組合わされる駆動装置と、を備える。
【考案の効果】
【０００８】
本考案のインクジェットプリンタの保守装置は、駆動装置が廃インク吸収体上の動力ラチェット歯の傾斜方向と反対方向に移動したとき、動力ラチェット歯によって廃インク吸収体が回転し、このとき、ストッパラチェット歯がケーシングラチェット歯の傾斜方向に沿って移動し上昇する。駆動装置が廃インク吸収体上の動力ラチェット歯の傾斜方向に沿って移動するとき、ケーシングラチェット歯がストッパラチェット歯に対して回転を阻止するので、廃インク吸収体は不動を保持し、駆動装置は動力ラチェット歯の上辺縁に沿って滑動して上昇し、動力ラチェット歯を通過する。本考案のインクジェットプリンタの保守装置の廃インク吸収体の運動軌跡は確定されており、回動および停止は、固定されて不動のケーシングラチェット歯および移動軌跡が確定された駆動装置によって行われるので、ケーシングラチェット歯と駆動装置との関係は安定したものである。従って本考案のインクジェットプリンタの保守装置は駆動装置が廃インク吸収体を駆動できなくなったり、廃インク吸収体を逆回動させたりする問題の発生を防止することができる。
【考案を実施するための最良の形態】
【０００９】
本考案の目的、特徴および効果を示す実施例を図に沿って詳細に説明する。
【００１０】
図４、５、６に示すように、本考案のインクジェットプリンタの保守装置はプリンタケーシング２０上に設置される。インクジェットプリンタの保守装置は、プリンタケーシング２０に固定されるフレーム１００と、フレーム１００上に移動可能に設置される保守アセンブリ２００と、保守アセンブリ２００上に固定される駆動装置４００と、プリンタケーシング２０上に固定される複数の鋸状のケーシングラチェット歯６００と、プリンタケーシング２０上に突出した円柱形の枢軸５００と、枢軸５００上に上下に滑動可能に設置される廃インク吸収体３００と、を備える。
【００１１】
ケーシングラチェット歯６００は直立平面状のストッパ面６１０および傾斜平面状の滑動面６２０を有する。複数のケーシングラチェット歯６００は円形に配列され、枢軸５００が複数のケーシングラチェット歯６００が配列して構成される円形の中心に位置する。
【００１２】
図４、７、８に示すように、フレーム１００は二つの支持板１１０を有する。各支持板１１０上には左上方向に延伸した弧形の開溝１１１が二つ設けられる。保守アセンブリ２００は移動台２１０を備える。移動台２１０は底板２１１および底板２１１の前後端から垂直に上方に延伸した側板２１２を有する。各側板２１２上には外側に延伸した滑動棒２１４が設けられる。滑動棒２１４はそれぞれ対応する開溝１１１内に挿入されて支持板１１０での移動台２１０の移動が制御される。底板２１１の下表面には下方向に突出した円柱形の孔台２１５が設けられ、底板２１１および孔台２１５には上下方向に駆動装置孔２１３が設けられ、底板２１１の駆動装置孔２１３内には回動防止凸部（図示せず）が設けられる。
【００１３】
図５、８、９に示すように、駆動装置孔２１３内には駆動装置４００が設置される。駆動装置４００下部は長方形柱状の押部４１０を有し、押部４１０は直立平面状の押面４１２を有し、押部４１０の下端は傾斜平面状の滑動面４１１を有する。押部４１０の上端には円柱状の柱部４２０が延伸し、柱部４２０の上端には上方に延伸した二本の相対した弾体部４３０が設けられる。二つの弾体部４３０間には凹溝４４０が形成され、上述の回動防止凸部が凹溝４４０内に進入する。弾体部４４０の上部には外側に突出したストッパ部４５０が設けられる。弾体部４４０は駆動装置孔２１３内に設置され、ストッパ部４５０は駆動装置孔２１３の上辺縁部分に支持される。組立時、ストッパ部４５０は弾体部４４０の弾性によって駆動装置孔２１３を貫通する。
【００１４】
図４、５、６に示すように、廃インク吸収体３００は円盤状の基板３１０を有し、基板３１０の中部には垂直に延伸した円柱形の枢軸台３１１が設けられる。基板３１０および枢軸台３１１上には円形の枢軸孔３１２が設けられ、枢軸５００が枢軸孔３１２内に設置される。廃インク吸収体３００の外周は円筒形の回転筒部３２０を有する。回転筒部３２０の下端には複数のケーシングラチェット歯６００と組合わされる下方に延伸したストッパラチェット歯３３０が設けられる。ストッパラチェット歯３３０はストッパ面６１０と組合わされる直立平面状のストッパ面３３１および滑動面６２０と組合わされる傾斜平面状の滑動面３３２を有する。回転筒部３２０の上端には上方に延伸した複数の動力ラチェット歯３４０が設けられる。動力ラチェット歯３４０は駆動装置４００の押面４１２と組合わされる直立平面状の押動面３４１および駆動装置４００の滑動面４１１と組合わされる傾斜平面状の滑面３４２を有し、押動面３４１と滑動面３４２との間には弧面３４３が設けられる。動力ラチェット歯３４０の滑面３４２およびストッパラチェット歯３３０の滑動面３３２は時計方向に傾斜する。即ち、動力ラチェット歯３４０およびストッパラチェット歯３３０の傾斜方向は一致する。
【００１５】
プリンタで印刷を行うとき、移動台２１０が支持板１１０の開溝１１１に沿って右下方向へと移動し、保守アセンブリ２００が記録ヘッドに対して印刷前の保守を行う。即ち、廃インク吸収体３００にインクを吐出する。この過程において、駆動装置４００は廃インク吸収体３００上の動力ラチェット歯３４０の傾斜方向と略逆方向に移動し、動力ラチェット歯３４０を押動し、動力ラチェット歯３４０によって廃インク吸収体３００が回転し、このとき、ストッパラチェット歯３３０の作用によって廃インク吸収体３００は回転と同時に上昇する。
【００１６】
プリンタの印刷が終了したとき、プリンタの記録ヘッドは左に移動し、保守アセンブリ２００が印刷後の保守を行う。この過程において、移動台２１０が支持板１１０の開溝１１１に沿って左上方に移動し、駆動装置４００が移動台２１０によって左方向に移動し、ケーシングラチェット歯６００のストッパラチェット歯３３０に対する阻止によって廃インク吸収体３００は不動が保持され、駆動装置４００は動力ラチェット歯３４０の上辺縁に沿って滑動して上昇し、動力ラチェット歯３４０を通過する。
【００１７】
上述のように、本考案のインクジェットプリンタの保守装置の廃インク吸収体３００の回動および停止は、固定されて不動のケーシングラチェット歯６００および移動軌跡が確定された駆動装置４００によって行われ、ケーシングラチェット歯６００と駆動装置４００との関係は安定したものである。従って本考案のインクジェットプリンタの保守装置は駆動装置が廃インク吸収体を駆動できなくなったり、廃インク吸収体を逆回動させたりする問題の発生を防止することができる。
【００１８】
上述の説明は本考案の実施例を示したものであり、当該技術に熟知する者は本考案の主旨に基づいて同等効果の修飾または変更を行うことができ、それらは全て本考案に含まれる。
【図面の簡単な説明】
【００１９】
【図１】従来技術によるインクジェットプリンタの保守装置を示す斜視図である。
【図２】図１の保守装置の廃インク吸収体の動作を示す模式図である。
【図３】図１の保守装置の廃インク吸収体の動作を示す模式図である。
【図４】本考案によるインクジェットプリンタの保守装置を示す斜視図である。
【図５】図４の他の角度からの斜視図である。
【図６】図４に示すプリンタケーシング、プリンタケーシングに固定された枢軸およびケーシングラチェット歯を示す斜視図である。
【図７】図４に示す保守装置のフレームを示す斜視図である。
【図８】図４に示す保守装置の移動台を示す斜視図である。
【図９】図４に示す保守装置の駆動装置を示す斜視図である。
【符号の説明】
【００２０】
２０    プリンタケーシング
１００  フレーム
１１０  支持板
１１１  開溝
２００  保守アセンブリ
２１０  移動台
２１１  底板
２１２  側板
２１３  駆動装置孔
２１４  滑動棒
２１５  孔台
３００  廃インク吸収体
３１０  基板
３１１  枢軸台
３１２  枢軸孔
３２０  回転筒部
３３０  ストッパラチェット歯
３３１  ストッパ面
３３２  滑動面
３４０  動力ラチェット歯
３４１  押動面
３４２  滑面
３４３  弧面
４００  駆動装置
４１０  押部
４１１  滑動面
４１２  押面
４２０  柱部
４３０  弾体部
４４０  凹溝
４５０  ストッパ部
５００  枢軸
６００  ケーシングラチェット歯
６１０  ストッパ面
６２０  滑動面
【図１】
0003140383.tif 000003
【図２】
0003140383.tif 000004
【図３】
0003140383.tif 000005
【図４】
0003140383.tif 000006
【図５】
0003140383.tif 000007
【図６】
0003140383.tif 000008
【図７】
0003140383.tif 000009
【図８】
0003140383.tif 000010
【図９】
0003140383.tif 000011
【手続補正書】
【提出日】平成20年1月18日(2008.1.18)
【手続補正１】
【補正対象書類名】実用新案登録請求の範囲
【補正対象項目名】請求項８
【補正方法】変更
【補正の内容】
【請求項８】
前記押部は直立平面状の押面を有し、前記動力ラチェット歯は前記押面と組合させる直立平面状の押動面を有することを特徴とする請求項６記載のインクジェットプリンタの保守装置。